(57)【特許請求の範囲】
【請求項１】
水道栓に取り付けられた本体部、前記本体部に着脱自在に接続されて前記水道栓からの水を浄化する浄水カートリッジ、および相互に離脱可能に嵌合して前記本体部と前記浄水カートリッジとの間の電気的接続をする一対の電気接続部からなり、前記浄水カートリッジで生成された浄水を前記本体部に形成された浄水吐出部から吐出する浄水器であって、
前記本体部は、浄水処理される水の通水量を検出する検出部と、前記検出部の出力により積算流量を算出する算出部と、前記積算流量に基いて前記浄水カートリッジの交換時期を報知する報知手段とを有し、
前記浄水カートリッジには、前記本体部に前記一対の電気接続部を介して電力を供給する電池が前記浄水カートリッジの電気接続部に接するように収納され、
前記電気接続部には、前記電気接続部を取り囲むようにして設けられ、前記本体部および前記浄水カートリッジに圧接し毛細管現象による該電気接続部への水の浸透を阻止するパッキンからなる浸透シール手段が設けられていることを特徴とする浄水器。
【発明の詳細な説明】
【０００１】
【発明の属する技術分野】
本発明は、水道水を浄化するフィルタが用いられた浄水器であって、特に積算流量を算出する機能を備えた浄水器に関するものである。
【０００２】
【従来の技術】
従来、積算流量を算出して表示する浄水器は本体部に電池が内蔵されているので、電池交換時の対策としてバックアップ回路や電池寿命検出回路が必要となり、回路部が複雑になっていた。また、浄水カートリッジに加えて電池までも交換しなくてはならないので、メンテナンスが煩わしいという問題があった。
【０００３】
このような問題を解決する技術として、実開平４−９８３号公報に記載されているように、浄水カートリッジ側に電池を設け、浄水カートリッジに脱着自在に計測部を設けることが提案されている。
【０００４】
以下、この従来の浄水器について説明する。図１１は従来の浄水器を示すブロック図である。
【０００５】
水道栓に取り付けられる本体部１には、フィルタ２ａを有する浄水カートリッジ２が脱着自在に装着されている。また、浄水カートリッジ２には、浄水能力を計測する計測部３が脱着自在に装着されている。この計測部３を駆動するための電池４は浄水カートリッジ２に設けられている。そして、計測部３を浄水カートリッジ２に装着することで計測部３の接続端子８ｂと浄水カートリッジの接続端子８ａとが接続され、計測部３は電池４より駆動を開始する。また、計測部３を浄水カートリッジ２から取り外すと接続端子８ａと接続端子８ｂとが分離して電池４から計測部３への給電が遮断され、計測部３は駆動を停止する。
【０００６】
計測部３には、浄水カートリッジ２に流れる水を検知するスイッチ部６と、このスイッチ部６がＯＮするとパルス信号を発振する発振部７とからなる検出部５が設置されている。さらに、計測部３には、発振部７から出力される信号を計測するカウンタ９が設置されている。スイッチ部６はシリコンゴムシートのような圧力隔膜上に、昇降子を配設して構成されており、浄水カートリッジ２に原水が流れると水圧により昇降子が押し上げられてスイッチをＯＮする。スイッチ部６がＯＮすると、計測部３内のカウンタ９は発振部７の信号（１０Ｈｚ程度）を計時することで積算していく。そして、積算時間が所定の時間（１０００分）に達すると、浄水カートリッジ２の交換時期が到来したことを報知する。
【０００７】
【発明が解決しようとする課題】
しかしながら、このような構成の従来の浄水器では、浄水カートリッジ内の一部分で通水を計測しているために、カートリッジ寿命の算出が積算時間でしか算出できず、正確な通水流量の測定ができない。また、ユーザが自発的に電池を交換しない可能性があるので、やはりバックアップ回路や電池寿命検出回路が必要となる。さらに、電池駆動では、結露による電池短絡のおそれもある。
【０００８】
そこで、本発明は、通水流量を積算してカートリッジ寿命を算出することのできる浄水器を提供することを目的とする。
【０００９】
また、本発明は、バックアップ回路や電池寿命検出回路を必要としない浄水器を提供することを目的とする。
【００１０】
【課題を解決するための手段】
この課題を解決するために、本発明の浄水器は、水道栓に取り付けられた本体部、本体部に着脱自在に接続されて水道栓からの水を浄化する浄水カートリッジ、および相互に離脱可能に嵌合して本体部と浄水カートリッジとの間の電気的接続をする一対の電気接続部からなり、浄水カートリッジで生成された浄水を本体部に形成された浄水吐出部から吐出する浄水器であって、本体部は、浄水処理される水の通水量を検出する検出部と、検出部の出力により積算流量を算出する算出部と、積算流量に基いて浄水カートリッジの交換時期を報知する報知手段とを有し、浄水カートリッジには、本体部に一対の電気接続部を介して電力を供給する電池が浄水カートリッジの電気接続部に接するように収納され、電気接続部には、電気接続部を取り囲むようにして設けられ、本体部および浄水カートリッジに圧接し毛細管現象による該電気接続部への水の浸透を阻止するパッキンからなる浸透シール手段が設けられた構成としたものである。
【００１１】
これにより、通水流量を積算してカートリッジ寿命を算出することが可能になる。また、バックアップ回路や電池寿命検出回路が不要になる。
【００１２】
【発明の実施の形態】
請求項１記載の発明は、水道栓に取り付けられた本体部、本体部に着脱自在に接続されて水道栓からの水を浄化する浄水カートリッジ、および相互に離脱可能に嵌合して本体部と浄水カートリッジとの間の電気的接続をする一対の電気接続部からなり、浄水カートリッジで生成された浄水を本体部に形成された浄水吐出部から吐出する浄水器であって、本体部は、浄水処理される水の通水量を検出する検出部と、検出部の出力により積算流量を算出する算出部と、積算流量に基いて浄水カートリッジの交換時期を報知する報知手段とを有し、浄水カートリッジには、本体部に一対の電気接続部を介して電力を供給する電池が浄水カートリッジの電気接続部に接するように収納され、電気接続部には、電気接続部を取り囲むようにして設けられ、本体部および浄水カートリッジに圧接し毛細管現象による該電気接続部への水の浸透を阻止するパッキンからなる浸透シール手段が設けられている浄水器であり、通水流量を積算してカートリッジ寿命を算出することが可能になるという作用を有する。また、バックアップ回路や電池寿命検出回路が不要になるという作用を有する。
【００１９】
以下、本発明の実施の形態について、図１から図１０を用いて説明する。なお、これらの図面において同一の部材には同一の符号を付しており、また、重複した説明は省略されている。
【００２０】
（実施の形態１）
図１は本発明の実施の形態１における浄水器を示す外観斜視図、図２は図１の浄水器の断面図、図３は図１の浄水器のブロック図、図４は図１の浄水器における検出部を示す概略図、図５は図１の浄水器における電気接続部の構造を示す説明図、図６は図１の浄水器における電気接続部の構造の他の一例を示す説明図、図７は図１の浄水器における電気接続部の構造のさらに他の一例を示す説明図、図８は図１の浄水器における電気接続部の構造のさらに他の一例を示す説明図である。
【００２１】
図１に示すように、本実施の形態の浄水器は、継手パイプ１４により水道栓１０に取り付けられた本体部１と、可動ネジ部３１を介してこの本体部１に着脱自在に接続された浄水カートリッジ２とを有している。本体部１および浄水カートリッジ２には装着位置合せマーク３０ａおよび着位置合せマーク３０ｂがそれぞれに設けられており、この着位置合せマーク３０ａ，３０ｂが相互に対向する位置になるようにして本体部１および浄水カートリッジ２が接続されている。
【００２２】
本体部１には、原水が吐出する吐出口キャップ１２および浄水が吐出する浄水吐出部１３とが形成されている。また、本体部１には、原水の吐出および浄水の吐出を切り替える操作レバー１１が取り付けられている。そして、この操作レバー１１が原水吐出位置にあるときには、水が矢印Ａから直接矢印Ｆに流れて、原水が吐水口キャップ１２からスレート吐出あるいはシャワー吐出される。また、操作レバー１１が浄水吐出位置にあるときには、水が矢印Ａから矢印Ｂ、矢印Ｃ、矢印Ｄ、矢印Ｅに順次流れて、浄水が浄水吐出部１３から吐出される。なお、本体部１には、積算流量に基づいてカートリッジ交換時期の表示を行うＬＥＤ（報知手段）２７が設けられている。
【００２３】
図２に示すように、浄水器には、本体部１に導入された水道水を浄水カートリッジ２に通水する連結管１５、浄化された水を浄水カートリッジ２から浄水吐出部１３へ通水する浄水路１６が設けられている。
【００２４】
浄水カートリッジ２内には、連結管１５からの原水が導かれる活性炭層１７が環状に設置されている。また、活性炭層１７の内周側には中空糸膜１９が配置されている。これにより、原水は活性炭層１７内を通過することで不純物や残留塩素等が取り除かれ、浄水カートリッジ２を構成する外部ケース３２の内端部で反転して中空糸膜１９内に導入される。そして、この中空糸膜１９内で一般細菌等が濾過されて浄水となり、浄水路１６へ通水される。なお、浄水カートリッジ２には電池４が設けられている。
【００２５】
浄水路１６には、浄水カートリッジ２を本体部１に着脱自在に取り付け可能とする流体接続部１８ａ，１８ｂが設けられている。これにより、浄水カートリッジ２からの浄水は流体接続部１８ａ，１８ｂを通って浄水吐出部１３から吐出される。
【００２６】
本体部１の連結管１５上には、浄水処理される水の通水量を検出する検出部５が設置されている。また、本体部１には配線基板２３が取り付けられており、浄水カートリッジ２側に設けられた電気接続部２８ａ、および本体部１側に設けられて電気接続部２８ａと離脱可能に嵌合する電気接続部２８ｂを介して電池４から電源が供給される。一方、浄水カートリッジ２を本体部１から取り外すと、電気接続部２８ａと２８ｂとが相互に分離して電源供給が絶たれ、配線基板２３はその動作を停止する。なお、図５に示すように、毛細管現象により電気接続部２８ａ，２８ｂに水が浸透するのを防止するため、電気接続部２８ａの周囲には筒状のパッキン（浸透シール手段）２９が取り付けられている。
【００２７】
なお、浄水カートリッジ２を本体部１に固定するための可動ネジ部３１は外部ケース３２に対して回転自在に構成されており、リブ３３により外部ケース３２に結合されている。
【００２８】
図３に示すように、配線基板２３は、検出部５で発生した交流電圧を増幅する増幅回路２４と、増幅回路２４で増幅された交流電圧をデジタル信号へと変換する電圧比較器２５と、電圧比較器２５の出力から積算流量を算出する算出部２６と、積算流量に基づいて浄水カートリッジ２の交換時期の表示を行うＬＥＤ（報知手段）２７とにより構成されている。
【００２９】
また、図４に示すように、本実施の形態での検出部５は、連結管１５の外周位置に設置された永久磁石２０と、連結管１５の内部に設置されたカルマン渦発生体２１と、配線基板２３と電気的に接続された一対の電極２２とにより構成されている。電極２２は永久磁石２０から発生する磁界方向と垂直に配置され、通水時にカルマン渦発生体２１で発生するカルマン渦が磁界変化を起こすことで、誘導起電力が電極２２間に発生する。
【００３０】
次に、このような構造を有する浄水器の動作について説明する。
浄水カートリッジ２を本体部１に装着すると、電池４により電気接続部２８ａ，２８ｂを介して配線基板２３に電源が供給される。そして、電源供給された配線基板２３は、算出部２６に記憶された積算流量のデータをリセットして待機状態となる。
【００３１】
連結管１５から浄水カートリッジ２に原水が流れると、検出部５には流量に応じた周波数の交流電圧が発生する。この交流電圧は増幅回路２４で増幅され、電圧比較器２５でデジタル信号へと変換される。そして、変換されたデジタル信号により、算出部２６で積算流量が算出されて記憶される。ここで、算出部２６は、デジタル信号の周波数と流量との関係式から単位時間当たりの流量（瞬時流量）を算出し、その瞬時流量を積算するものであるが、関係式が一次関数であれば、カウンタにより入力されたデジタル信号のパルス数をカウントして積算することもできる。
【００３２】
なお、連結管１５に水が流れていない状態では検出部５から交流電圧の発生はないので、算出部２６は積算流量を保持し続ける。
【００３３】
このような動作を繰り返し行うことにより算出部２６の積算流量が所定の流量に達すると、算出部２６はＬＥＤ２７を点灯させるための信号を出力する。そして、ＬＥＤ２７が点灯することで、浄水カートリッジ２の交換時期が到来したことが適切にユーザに報知される。なお、ＬＥＤ２７は、点滅するようになっていてもよい。
【００３４】
続いて、浄水カートリッジ２の装着およびパッキン２９について、図５を用いて説明する。
【００３５】
浄水カートリッジ２を本体部１に装着するには、装着位置合せマーク３０ａ，３０ｂに合わせて浄水カートリッジ２を本体部１に挿入する。これにより、流体接続部１８ａは浄水路１６に接続された流体接続部１８ｂに連結され、電気接続部２８ａは配線基板２３に接続された電気接続部２８ｂと嵌合する。なお、誤接続を防止するため、電気接続部２８ａ，２８ｂの形状は流体接続部１８ａ，１８ｂとは違う形状となっており、装着面の中心に対して点対称とならない位置に配置されている。
【００３６】
浄水カートリッジ２を本体部１に挿入した後、可動ネジ部３１を固定方向（時計回り）へ回転させると、流体接続部１８ａ，１８ｂおよび電気接続部２８ａ，２８ｂがそれぞれ確実に締結されて浄水カートリッジ２が本体部１に固定される。そして、これにより、電気接続部２８ａの周辺を囲むように配置されたパッキン２９に本体部１の装着面が密着して電気接続部２８ａ，２８ｂがシールされ、電気接続部２８ａ，２８ｂへの水の浸透が防止される。また、図示するように、パッキン２９の圧縮しろの高さａは、流体接続部１８ａ，１８ｂがつくるシール面の高さｂ、および可動ネジ部３１と本体部１との結合部分がつくるシール面の高さｃよりも高くなっている（ａ＞ｂ，ａ＞ｃ）。したがって、可動ネジ部３１による固定が弱い状態でもパッキン２９は本体部１および浄水カートリッジ２に圧接して電気接続部２８ａ，２８ｂをシールするので、電気接続部２８ａ，２８ｂへの水の浸透を確実に防止することができる。
【００３７】
なお、浄水カートリッジ２を本体部１から取り外すときは、可動ネジ部３１を取り外し方向（反時計回り）へまわすことで各接続部の挿入力を弱め、本体部１から取り外すことができる。そして、その場合でも、パッキン２９が最後まで本体部１に密着しているので、電気接続部２８ａ，２８ｂへの水の浸透を防止することができる。
【００３８】
ここで、電気接続部２８ａ，２８ｂに対する防水は、図５で説明した浸透シール手段以外にも、図６、図７、図８に示す浸透シール手段により実現することができる。
【００３９】
すなわち、図６において、浄水カートリッジ２側に位置する電気接続部２８ａの周囲には浸水防止リブ３４ａが、また本体部１側に位置する電気接続部２８ｂの周囲には浸水防止リブ３４ｂがそれぞれ形成されている。そして、浸水防止リブ３４ａと浸水防止リブ３４ｂとが結合することによって電気接続部２８ａ，２８ｂのシール性を高める構造となっている。
【００４０】
ここで、浸水防止部３４ａ，３４ｂの結合によるシール面３５の高さｄは、流体接続部１８ａ，１８ｂがつくるシール面３５の高さｂ、および可動ネジ部３１と本体部１との結合部分がつくるシール面３５の高さｃよりも高くなっている（ｄ＞ｂ，ｄ＞ｃ）。
【００４１】
したがって、浄水カートリッジ２を装着すると、浸水防止リブ３４ａと浸水防止リブ３４ｂとの結合によってシール面３５が形成されて電気接続部２８ａ，２８ｂへの水の浸透を防止することができる。また、可動ネジ部３１による固定が弱い状態でも浸水防止リブ３４ａ，３４ｂの結合によってできるシール面３５は確実に残るので、電気接続部２８ａ，２８ｂへの水の浸透を確実に防止することができる。
【００４２】
また、図７において、電気接続部２８ａにおける浄水カートリッジ２の装着面の周囲には撥水処理部３６ａが形成されている。また、電気接続部２８ｂにおける本体部１の装着面の周囲には撥水処理部３６ｂが形成されている。
【００４３】
このように撥水処理部３６ａ，３６ｂを形成すれば、浄水カートリッジ２を本体部１に装着した場合に毛細管現象により浸水しても、流体接続部１８ａ，１８ｂに接近する水は撥水処理部３６ａ，３６ｂではじかれるので、電気接続部２８ａ，２８ｂへの水の浸透を防止することができる。
【００４４】
さらに、図８において、浄水カートリッジ２側の電気接続部２８ａの周囲には、電気接続部２８ａの突出端とほぼ等しい高さを有するリブ３８が形成されており、リブ３７の開口部を閉塞するようにしてゴム製のパッキン３７が取り付けられている。また、本体部１側の電気接続部２８ｃは、その先端部が尖った針状に形成されるとともに、先端部以外は絶縁されている。なお、このような電気接続部２８ｃを浄水カートリッジ２側とし、浄水カートリッジ２側電気接続部２８ａを本体部１側としてもよい。
【００４５】
このような構成によれば、浄水カートリッジ２を本体部１に装着すると、針状の電気接続部２８ｃがパッキン３７を貫通して電気接続部２８ａと嵌合する。そして、パッキン３７はゴム製であるので、電気接続部２８ｃが貫通した後は隙間を空けることなく電気接続部２８ｃに密着する。これにより、電気接続部２８ａ，２８ｃの導通する部分への水の浸透を防止することができる。
【００４６】
このように、本実施の形態の浄水器によれば、浄水処理される水の通水量を検出する検出部５を本体部１内に設置しているので、浄水カートリッジ２に流れ込む全通水量を検出することができる。これにより、積算流量を算出することができ、カートリッジ寿命を正確に算出することが可能になる。
【００４７】
また、本実施の形態の浄水器によれば、本体部１側と浄水カートリッジ２側にそれぞれ設けられて相互に嵌合する電気接続部２８ａ，２８ｂ（または、２８ａ，２８ｃ）への水の浸透を防止しつつ浄水カートリッジ２側に設けられた電池４により本体部１側に装着された算出部２６を駆動して積算流量を算出し、積算流量に基づいてＬＥＤ２７でカートリッジ交換時期の表示を行うようにしている。これにより、浄水カートリッジ２の交換時に電池４も同時に交換されるため、記憶データのバックアップ回路や電池寿命検出回路が不要になるとともに、ユーザによる電池交換作業も不要になる。
【００４８】
（実施の形態２）
図９は本発明の実施の形態２における浄水器を示すブロック図である。
【００４９】
本実施の形態の浄水器は、前述した実施の形態１の浄水器に加えて、本体部１の配線基板２３内には、記憶部４０のデータの読み込みや書き込みを行うメモリ制御部４１が配置されている。また、浄水カートリッジ２内の電池４と同じ場所には、ＥＥＰＲＯＭなどの不揮発性メモリからなって電池４により常時電源供給されている記憶部４０が配置されている。
【００５０】
次に、このような構造を有する浄水器の動作について説明する。
浄水カートリッジ２を本体部１に装着すると、電池４により電気接続部２８ａ，２８ｂを介して配線基板２３に電源が供給される。これにより電源供給されたメモリ制御部４１は、まず記憶部４０に記憶された積算流量データが正常値かどうか判断する。すなわち、積算流量データの読み込みチェックサムを算出して、そのチェックサムと記憶部４０に記憶されているチェックサムが一致するかどうかの比較を行う。その結果、両者が一致すれば積算流量データは正しいと判断し、算出部２６の初期値として当該積算流量データを転送して待機状態となる。一方、両者が一致しなければ浄水カートリッジ２は新しいものと判断して、算出部２６および記憶部４０の積算流量データをリセットしチェックサムを書き込んで待機状態となる。なお、本実施の形態では、記憶部４０のデータは、誤動作のないように出荷時に全て「０」にクリアされているものとする。
【００５１】
そして、連結管１５から浄水カートリッジ２に原水が流れると、算出部２６は積算流量を算出する。その後、連結管１５に水が流れていない状態になると、算出部２６は算出された積算流量を保持し続け、メモリ制御部４１は積算流量データからチェックサムを算出して積算流量データおよびチェックサムを記憶部４０に書き込んで待機状態となる。
【００５２】
なお、本実施の形態では、積算流量データの判定にチェックサムを用いているが、パリティ符号などの誤り検出符号や積算流量データと同一データを複数書き込んでおき、読み出すときに一致をとるようにしてもよい。
【００５３】
以上のように、本実施の形態によれば、記憶部４０に積算流量データが保持されているので、使用途中で浄水カートリッジ２を誤って取り外したり使用済み浄水カートリッジを再度装着した場合でも、積算流量が所定の流量に達すると算出部２６はＬＥＤ２７を点灯させるように信号を出力する。そして、ＬＥＤ２７が点灯することで、浄水カートリッジ２の交換時期が到来したことが正しくユーザに報知される。
【００５４】
（実施の形態３）
図１０は本発明の実施の形態３における浄水器を示すブロック図である。
【００５５】
本実施の形態の浄水器は、前述した実施の形態２の浄水器に加えて、本体部１の配線基板２３内には、コイル４６ａ、復調回路４６ｂ、平滑化回路４６ｃおよび電圧安定化回路４６ｄにより構成された電圧復調部４６が配置されている。また、積算流量データの送信要求を光学的に行うための送信用ＬＥＤ（データ要求手段）４７、後述するリードスイッチ４５をＯＮ状態にする磁石４８が配置されている。
【００５６】
浄水カートリッジ２には、電池４の直流電圧を交流電圧に変換して記憶部４０の出力データを重畳するスイッチング素子４２ａと、電圧復調部４６のコイル４６ａに対応したコイル４２ｂとで構成された電圧変調部４２を備えている。また、送信用ＬＥＤ４７からの信号を受信するフォトダイオード（要求受信手段）４３、スイッチング素子４２ａおよびフォトダイオード４３を制御する変調制御部４４、浄水カートリッジ２を本体部１に装着したとき磁石４８によりＯＮ状態にされて電池４による給電を行わせるリードスイッチ４５を備えている。
【００５７】
次に、このような構造を有する浄水器の動作について説明する。
浄水カートリッジ２を本体部１に装着すると、磁石４８によりリードスイッチ４５がＯＮとなり、電池４から変調制御部４４に通電される。これにより、変調制御部４４はスイッチング素子４２ａを所定の周波数（第１の周波数）で駆動して第１の周波数の交流電圧に変換する。この交流電圧はコイル４２ｂおよびコイル４６ａで電磁誘導されて復調回路４６ｂに出力され、平滑化回路４６ｃで直流電圧に戻され、電圧安定化回路４６ｄを経て配線基板２３に電源が供給される。
【００５８】
電源供給されたメモリ制御部４１は、まず記憶部４０に記憶された積算流量データが正常値かどうか判断するために、積算流量データ送信要求を送信用ＬＥＤ４７から送信する。その信号がフォトダイオード４３で受信された変調制御部４４に送られると、変調制御部４４は記憶部４０から積算流量データを読み出し、スイッチング素子４２ａを駆動してデータを重畳して変調する。ここで、変調の方法は、第１の周波数を「０」、第１の周波数とは別の周波数である第２の周波数を「１」として、所定のフォーマットに従い１ｂｉｔづつ一定の時間間隔（Ｔ１）ごとに周波数を切替えるものである。
【００５９】
変調された交流電圧はコイル４２ｂおよびコイル４６ａで電磁誘導されて復調回路４６ｂに出力され、第１の周波数および第２の周波数からＴ１の間隔ごとにデータが１ｂｉｔづつ抽出される。また、平滑化回路４６ｃで直流電圧に戻して電源として使用することができる。
【００６０】
以上のように、本実施の形態によれば、浄水カートリッジ２と本体部１との間に機械的な電気接続部を設けることなく積算流量データの送受信を行っているので、どのような箇所から両者の装着面に浸水があっても、毛細管現象による水の短絡がなく、また電池４の無駄な消費を防ぐことができる。さらに、浄水カートリッジ２の装着を容易に行うことができる。
【００６１】
【発明の効果】
以上のように、本発明によれば、通水流量を積算してカートリッジ寿命を算出することが可能になるという有効な効果が得られる。
【００６２】
また、本発明によれば、バックアップ回路や電池寿命検出回路が不要になるという有効な効果が得られる。
【００６３】
浄水カートリッジに、算出部に算出された積算流量を記憶する記憶部を設けることにより、使用途中で浄水カートリッジを誤って取り外したり使用済み浄水カートリッジを再度装着した場合でも、浄水カートリッジの交換時期が到来したことが正しくユーザに報知されるという有効な効果が得られる。
【００６４】
本体部に積算流量データの送信要求を光学的に行うデータ要求手段および磁石を設け、浄水カートリッジにデータ要求手段からの信号を受信する要求受信手段および磁石によりＯＮ状態にされて電池による給電を行わせるリードスイッチを設けることにより、毛細管現象による水の短絡がなく、また電池の無駄な消費を防ぐことができるという有効な効果が得られる。また、浄水カートリッジの装着を容易に行うことができるという有効な効果が得られる。
【図面の簡単な説明】
【図１】本発明の実施の形態１における浄水器を示す外観斜視図
【図２】図１の浄水器の断面図
【図３】図１の浄水器のブロック図
【図４】図１の浄水器における検出部を示す概略図
【図５】図１の浄水器における電気接続部の構造を示す説明図
【図６】図１の浄水器における電気接続部の構造の他の一例を示す説明図
【図７】図１の浄水器における電気接続部の構造のさらに他の一例を示す説明図
【図８】図１の浄水器における電気接続部の構造のさらに他の一例を示す説明図
【図９】本発明の実施の形態２における浄水器を示すブロック図
【図１０】本発明の実施の形態３における浄水器を示すブロック図
【図１１】従来の浄水器を示すブロック図
【符号の説明】
１  本体部
２  浄水カートリッジ
４  電池
５  検出部
１０  水道栓
２６  算出部
２７  ＬＥＤ（報知手段）
２８ａ  電気接続部
２８ｂ  電気接続部
２８ｃ  電気接続部
２９  パッキン（浸透シール手段）
３４ａ  浸水防止リブ
３４ｂ  浸水防止リブ
３６ａ  撥水処理部
３６ｂ  撥水処理部
３７  パッキン
３８  リブ
４０  記憶部
４３  フォトダイオード（要求受信手段）
４５  リードスイッチ
４７  送信用ＬＥＤ（データ要求手段）
４８  磁石
【図１】
0003775084.tif 000002
【図２】
0003775084.tif 000003
【図３】
0003775084.tif 000004
【図４】
0003775084.tif 000005
【図５】
0003775084.tif 000006
【図６】
0003775084.tif 000007
【図７】
0003775084.tif 000008
【図８】
0003775084.tif 000009
【図９】
0003775084.tif 000010
【図１０】
0003775084.tif 000011
【図１１】
0003775084.tif 000012